(57)【要約】【課題】洗濯機の進歩と普及に伴い一般家庭における衣類の洗濯作業自体の作業負荷は大幅に軽減しつつあるが、洗濯物の乾燥領域は光熱費の制約面より未だ天日乾燥が作業の主体を占めており、作業負荷軽減と衣類の損傷回避、並びに、ハンガーの耐久性の改善が望まれている。又、衣料展示の商業分野に於ける展示衣類の着脱に対する省力化と該着脱による展示商品の型崩れや汚損等の防止による商店の収益性改善に対する寄与の上からも合理的な衣類ハンガーが必要となってきている。【解決手段】本特許に述べる機構構造と機能構造による作業効率の大幅な改善と、衣類に対する不要な負荷を徹底的に軽減する機能構造によって課題を解決するものである。【選択図】図１
2008055114.tif 000002
【特許請求の範囲】
【請求項１】
底辺を共有し、辺の長さを異とする二つの二等辺三角形の四頂点を蝶番で接続してなる四辺形の二つの短辺を、長辺との共有頂点を経由して延長する事によりハンガーアームを構成し、該長辺が形成する頂角を制御する事によるハンガーアームの開閉の制御、並びに、ハンガーアームの展開状態の固定、並びに、閉鎖状態の固定を制御するコントロール機構構造を形成し、更に、長辺が構成する蝶番構造の可動頂点にハンガーフックを装着して構成する衣類ハンガー。
【請求項２】
請求項１に述べる機構構造を持つ四辺形の左右対称軸上の短辺が形成する頂点の内角が鋭角から鈍角に至る変化を許容する原理を活用してなるハンガーアームの展開と折り畳み機能構造。
【請求項３】
ハンガーフック開放先端部を、閉鎖したハンガーアーム部内に挿入する形で折り込む機構構造によるハンガーフックの開放先端部による当ハンガー収納時のハンガー相互間の絡まりの防止、並びに、ハンガーフック先端部による衣類の損傷事故防止機能。
【発明の詳細な説明】
【技術分野】
【０００１】  本発明は、衣類用ハンガーのハンガーアーム展開状態の展開維持安全ロック装置と、該ハンガーアーム閉鎖時の閉鎖維持安全ロック装置を持つ衣類ハンガーに関する。
【背景技術】
【０００２】  現在、一般市場に存在するハンガーアームの折畳み機能を持つ衣類用ハンガーは、旅行用等の携帯の利便性を主目的として開発されたものであり、一般家庭用、並びに、商用商品展示用、等、衣類の形状維持機能、衣類着脱時の取り扱いの単純性と利便性、更に、堅牢性と、屋外使用対応に考慮した耐久性、等の機能に総括的に考慮された商品が市場供給されていない。【０００３】  又、一般市場の衣類ハンガーは各種の機構構造が開発されているが、一般的に衣類ハンガーの構造は、固定的な展開形状を持つハンガーアームの中心部にハンガーフックを設けた形状であり、特に丸首シャツ、タートルネックシャツロングネ
2008055114.tif 000003
場合、襟首部周りの伸びを防止する為には衣類の裾の開放部よりのハンガー挿入、並びに、ハンガーフックの襟首開放部よりの取出し作業を必要とする。【０００４】  同様に、衣類をハンガーより取り外す場合に於いても前述の動作が要求されると共にハンガーフック開放部先端による衣類の損傷から衣類を保護する注意力が要求され、これらが一般家庭に於ける洗濯物の着脱作業、商用衣料のハンガーよりの取り外しの作業負担となっている。【０００５】  前述の問題点を解決する手段として、昨今、一般家庭用を対象としてループ状のハンガーアームの両端に蝶番機構を設けて接続したハンガーフック部分を一方のハンガーアーム方向に倒しハンガーフックとハンガーアームを掌で保持し、該保持拘束状態を維持する手首部分を含むハンガー全体を襟首口部分より挿入し該衣類の胴内部で該拘束状態を解除し挿入した手によって該ハンガーフックを襟首口より引出す構造の物が市販されている。【０００６】  しかし、この場合のハンガーフックとハンガーを掌で握り締めた寸法値は一般衣類の襟首開口部の寸法値に対する余裕が無く該襟首口が伸びる問題を完全に解決させるものではない。
【発明の開示】
【発明が解決しようとする課題】
【０００７】  本発明は、一般家庭用衣類から商店の商用衣類展示に至る広範な適応性要求の解決のみならず、ハンガーへの衣類の着脱作業負担の飛躍的な改善を図ると共に作業負担軽減に伴う衣類の損傷の最小化を保障する、以下の機能を満足する構造を持つ衣類用ハンガーを提供するものである。【０００８】  即ち、一般家庭に於ける日常生活活動負荷の軽減、並びに、衣服、衣類（以下衣類と呼ぶ）を取り扱う商店の商品陳列に関わるハンガーへの衣類の着脱に伴う該衣類自体の変形と損傷を最小限に止める機能、並びに、ハンガーへの懸架と取り外し作業の簡略化と省力化による商店に於ける接客効率の改善と家事に於ける生まれた余剰時間の有効利用を保障できる衣類用ハンガーの具現化を図ろうとするものである。
【課題を解決する為の手段】
【０００９】  上記課題を解決する手段として、図１、図２に示す、辺の長さを異とする二つの二等辺三角形の底辺を共有させて構成する四辺形の対角線は互いに直交し、該短辺が構成する内角を鋭角から鈍角まで連続的に変化させることが出来、且つ、該短辺が構成する頂点は該四辺形の対称軸上を移動し両ハンガーアームを同時に均等に開閉させることを可能とし、更に、該短辺の両端が構成する対角線の長さを制限する事によって、安定したハンガーアームの展開状態の維持と閉鎖状態の維持を実現させ、課題の解決を図るものである。
【００１０】即ち、鋭角から鈍角に変化させ得る頂点を左右のハンガーアームが共有する基点とし、該二等辺三角形の底辺の両端にある各頂点に至る各辺を各々延長して左右のハンガーアームを構成し、該二等辺三角形が形成する底辺の長さをコントロールする事によりハンガーアームの求める展開位置の形成と、ハンガーアーム閉鎖状態の継続的な固定を行う事により提起した課題の解決を図るものである。
【００１１】  本発明による、衣類ハンガーの実施構造例を、図１、図２、に示す。
【００１２】  図１は、本発明の機構構造を持つハンガーのハンガーアームを展開、固定した状態を示し、図２はハンガーアームを閉鎖、固定した状態を示す。
【００１３】  以下、図１、図２に示す構造図に基づき本特許請求の衣類ハンガーの機構構造と機能に付き説明する。
【００１４】
2008055114.tif 000004
ンガーアームの挿入作業が単純になる様、図２に示すハンガーアーム８，９が閉鎖し装置１０にてロックされた状態で、衣類の襟首開口部より胴内部に挿入し、衣類の肩の部分の上からハンガーアームを保持し、ロック装置１０を指先でハンガーフック接続部方向（上部）に押し上げながらハンガーアーム８、及び、９を手で展開させる事によってハンガーアーム固定維持装置１０が図１に示すハンガーアーム展開固定位置に自然落下し、懸架した衣類の内部でハンガーアームが展開状態で固定され、懸架した衣類は安定した状態でハンガーに保持される。
【００１５】
2008055114.tif 000005
類をハンガーに懸架しクリップやボタン等により飛散を防止する通常の方法にて処理する。
【００１６】  乾燥後の衣類の取り入れは、前述の衣類の種類による操作手順の差異は無く、物干竿などに懸架された状態にて装着したクリップ等を取り除き、ハンガーアームの両端８、９を手で上部方向に軽く押し上げながら固定維持装置１０を指先でハンガーフック方向に押し上げロック状態を解除する事によってハンガーアームの固定状態が解除され、ハンガーアームは衣類の重量とハンガーの自重により下方に自然に折り畳まれ、乾燥した衣類は自重にてハンガーアームから自重落下状態にて取り入れることが出来る。
【図面の簡単な説明】
【００２０】
【図１】ハンガーアーム展開時の全体構造図
【図２】ハンガーアーム閉鎖時の全体構造図
【符号の説明】
【００２１】  １  ハンガーフック
２  ハンガーアーム懸架機構の蝶番並びにハンガーフック接続蝶番
３  ハンガーアーム懸架蝶番
４  ハンガーアーム懸架蝶番
５  左右ハンガーアームの接続蝶番
６  ハンガーアーム懸架ロッド
７  ハンガーアーム懸架ロッド
８  ハンガーアーム
９  ハンガーアーム
１０  ハンガーアーム開閉固定リング
【図１】
2008055114.tif 000006
【図２】
2008055114.tif 000007